(57)【要約】  第１の材料と第２の材料を脱着可能に結合するための導電性の磁気スナップファスナーであって、ファスナーは、第１の材料に取り付け可能であり、一体式に形成されたスタッドと、スタッドフランジとを含む雄の締結要素と、第２の材料に取り付け可能であり、カバーと、裏板と、カバーによって画定される空洞内に配置された磁石とを含む雌の締結要素とを含む。雄の締結要素と雌の締結要素は、雄の締結要素と雌の締結要素が磁気的に互いに結合されたとき、雄の締結要素が雌の締結要素に接触することで雄の締結要素と雌の締結要素を通る導電経路を形成するように磁気的に互いに結合可能である。【選択図】なし【特許請求の範囲】
【請求項１】
第１の材料と第２の材料を脱着可能に結合するための導電性の磁気スナップファスナーであって、
前記第１の材料に取り付け可能であり、一体式に形成されたスタッドと、スタッドフランジとを含む雄の締結要素と、
前記第２の材料に取り付け可能であり、カバーと、裏板と、前記カバーによって画定される空洞の内部に配置された磁石とを含む雌の締結要素とを備え、
前記雄の締結要素と前記雌の締結要素は、前記雄の締結要素と前記雌の締結要素が磁気的に互いに結合されたとき、前記雄の締結要素が前記雌の締結要素に接触することで前記雄の締結要素と前記雌の締結要素を通る導電経路を形成するように磁気的に互いに結合可能である、導電性の磁気スナップファスナー。
【請求項２】
前記雄の締結要素は、前記雌の締結要素の前記カバーに接触し、前記導電経路は、少なくとも前記雄の締結要素、前記カバーおよび前記裏板を通るように形成される、請求項１に記載の導電性の磁気スナップファスナー。
【請求項３】
前記一体式に形成されたスタッドおよびスタッドフランジは、強磁性材料の単一の切片から打ち抜き加工または延伸加工によって形成される、請求項１に記載の導電性の磁気スナップファスナー。
【請求項４】
前記裏板は、前記第２の材料に取り付けるための少なくとも１つの脚を含む、請求項１に記載の導電性の磁気スナップファスナー。
【請求項５】
前記裏板は、前記第２の材料に取り付けるためのリベットとして機能する少なくとも１つの延伸された管状の支柱を含む、請求項１に記載の導電性の磁気スナップファスナー。
【請求項６】
前記少なくとも１つの脚は、前記裏板の一部として一体式に形成される、請求項４に記載の導電性の磁気スナップファスナー。
【請求項７】
前記延伸された管状の支柱は、前記裏板の一部として一体式に形成される、請求項５に記載の導電性の磁気スナップファスナー。
【請求項８】
前記延伸された管状の支柱はクラッシュ嵌め支柱を含む、請求項５に記載の導電性の磁気スナップファスナー。
【請求項９】
第１の材料と第２の材料を脱着可能に結合するための磁気スナップファスナーの構成要素であって、前記ファスナーは、
前記第１の材料に取り付け可能な雄の締結要素を備え、前記雄の締結要素は、材料の単一の切片から打ち抜き加工または延伸加工によって形成された一体式に形成されたスタッドと、スタッドフランジとを含む、磁気スナップファスナーの構成要素。
【請求項１０】
前記第２の材料に取り付け可能な雌の締結要素をさらに備え、前記雌の締結組立体は、カバーと、裏板と、前記カバーによって画定される空洞の内部に配置された磁石とを含んでおり、前記裏板は、少なくとも１つの一体式に形成された脚を含み、
前記雄の締結要素と前記雌の締結要素は、前記第１の材料と前記第２の材料を脱着可能に結合するために磁気結合を実現する、請求項９に記載の磁気スナップファスナーの構成要素。
【請求項１１】
前記雄の締結要素は、前記雌の締結要素の前記カバーに接触し、導電経路が少なくとも前記雄の締結要素、前記カバーおよび前記裏板を通るように形成される、請求項１０に記載の磁気スナップファスナーの構成要素。
【請求項１２】
前記一体式に形成されたスタッドおよびスタッドフランジは、単一の部品の強磁性材料から打ち抜き加工または延伸加工によって形成される、請求項１０に記載の磁気スナップファスナーの構成要素。
【請求項１３】
前記雄の締結要素は使い捨てである、請求項９に記載の磁気スナップファスナー。
【請求項１４】
前記雄の締結要素は、プレス嵌めまたはクラッシュ嵌め構成によって前記第１の材料に取り付けられる、請求項９に記載の磁気スナップファスナー。
【請求項１５】
第１の材料と第２の材料を脱着可能に結合するための磁気スナップファスナーであって、前記第２の材料に取り付け可能な雌の締結要素であって、カバーと、裏板と、前記カバーによって画定される空洞の内部に配置された磁石とを含み、前記裏板は、少なくとも１つの一体式に形成された脚を含む雌の締結要素と、
前記第１の材料に取り付け可能な雄の締結要素であって、強磁性材料の単一の切片から打ち抜き加工または延伸加工によって形成された一体式に形成されたスタッドと、スタッドフランジとを含む雄の締結要素とを備え、前記雄の締結要素と前記雌の締結要素は、前記第１の材料と前記第２の材料を脱着可能に結合するために磁気結合を実現する、磁気スナップファスナー。
【請求項１６】
前記雄の締結要素は、使い捨てである、請求項１３に記載の磁気スナップファスナー。
【請求項１７】
前記雄の締結要素は、プレス嵌めまたはクラッシュ嵌め構成によって前記第１の材料に取り付けられる、請求項１３に記載の磁気スナップファスナー。
【請求項１８】
第１の部分であって、前記第１の部分に取り付けられ、一体式に形成されたスタッドと、スタッドフランジとを含む雄の締結要素を有する第１の部分と、
第２の部分であって、前記第２の部分に取り付けられ、カバーと、裏板と、前記カバーによって画定される空洞の内部に配置された磁石とを含む雌の締結要素を有する第２の部分とを備え、
前記雄の締結要素と前記雌の締結要素は、前記雄の締結要素と前記雌の締結要素が磁気的に互いに結合されたとき、前記雄の締結要素が前記雌の締結要素に接触することで前記第１の部分から前記第２の部分まで前記雄の締結要素と前記雌の締結要素を通る導電経路を形成するように磁気的に互いに結合可能である、電気装置。
【請求項１９】
センサをさらに備える、請求項１４に記載の電気装置。
【請求項２０】
前記センサは、心臓センサまたはフィットネストラッカーの少なくとも一方を含む、請求項１４に記載の電気装置。
【請求項２１】
ベース材に取り付け可能な雄の締結要素であって、一体式に形成されたスタッドと、スタッドフランジとを含み、前記雄の締結要素と前記雌の締結要素が磁気的に互いに結合されたとき、磁石を有する雌の締結要素と磁気的に結合し、前記雄の締結要素と前記雌の締結要素を通る導電経路を形成するように構成される雄の締結要素を備える、磁気スナップファスナー構成要素。
【発明の詳細な説明】
【技術分野】
【０００１】
（関連出願の相互参照）
[0001]本出願は、２０１７年１２月２０日に提出された米国仮出願番号６２／６０８，２９２号に基づく優先権を主張し、この仮出願の内容はその全体が参照により本明細書に組み込まれている。
【０００２】
本発明は磁気スナップファスナーに関する。
【背景技術】
【０００３】
[0002]磁気スナップファスナーは一般に、衣服、バッグ、財布、靴および同様のものなどの製品にある２つ以上の構成要素および／または材料の簡便な脱着可能な結合を実現するのに使用される。磁気スナップファスナーは典型的には、第２の構成要素またはベース材に取り付けられた雌部分と脱着可能に嵌まるように設計された、第１の構成要素またはベース材に取り付けられた雄部分を含む。したがって、ファスナーの雄部分と雌部分を嵌め合うことで第１の構成要素と第２の構成要素を一緒に結合するのを促進する。典型的な磁気スナップファスナーでは、雌部分は磁石を含み、雄部分は、雌部分に収容されている磁石に対して磁気により引き寄せられる材料を含む。したがって、雄部分と雌部分との間の磁気引力が、磁気スナップファスナーの雄部分と雌部分の脱着可能な結合を可能にする。
【０００４】
[0003]磁気スナップファスナーは一般に、衣服、バッグ、財布、靴および同様のものなどの製品にある２つ以上の構成要素および／または材料の簡便な脱着可能な結合を実現するのに使用される。磁気スナップファスナーは典型的には、第２の構成要素またはベース材に取り付けられた雌部分と脱着可能に嵌まるように設計された、第１の構成要素またはベース材に取り付けられた雄部分を含む。したがって、ファスナーの雄部分と雌部分を嵌め合うことで第１の構成要素と第２の構成要素を一緒に結合するのを促進する。典型的な磁気スナップファスナーでは、雌部分は磁石を含み、雄部分は、雌部分に収容されている磁石に対して磁気により引き寄せられる材料を含む。したがって、雄部分と雌部分との間の磁気引力が、磁気スナップファスナーの雄部分と雌部分の脱着可能な結合を可能にする。
【０００５】
[0004]近年、技術の進歩は、多くの電気装置の携帯性を高めており、このことは、ウェアラブル装置およびウェアラブル技術における劇的な向上に貢献してきた。この種の装置は、磁気スナップを利用することができ、また簡単かつ洗練された方法で電気信号を伝導することができるファスナーから利益を得ることができる。例えば、心臓モニタなどのウェラブル装置で利用されるスナップの場合、電気信号を伝導するために電気接続を実現することが有益であり得る。このような装置はまた、安価な構成要素を利用することができ、１度使用した後に廃棄することができる。
【発明の概要】
【発明が解決しようとする課題】
【０００６】
本実施形態の例示の実施形態は、第１の材料と第２の材料を脱着可能に結合するための導電性の磁気スナップファスナーを提供する。
【課題を解決するための手段】
【０００７】
[0005]本実施形態の例示の実施形態は、第１の材料と第２の材料を脱着可能に結合するための導電性の磁気スナップファスナーを提供することができる。ファスナーは、第１の材料に取り付け可能であり、一体式に形成されたスタッドと、スタッドフランジとを含むことができる雄の締結要素を含むことができる。導電性の磁気スナップファスナーは、第２の材料に取り付け可能であり、カバーと、裏板と、カバーによって画定される空洞の内部に配置された磁石とを含むことができる雌の締結要素をさらに含むことができる。雄の締結要素と雌の締結要素は、雄の締結要素と雌の締結要素が磁気的に互いに結合されたとき、雄の締結要素が雌の締結要素に接触することで雄の締結要素と雌の締結要素を通る導電経路を形成するように磁気的に互いに結合可能であり得る。
【０００８】
[0006]特定の例示の実施形態によると、雄の締結要素は雌の締結要素のカバーに接触することができ、導電経路が、少なくとも雄の締結要素、カバーおよび裏板を通るように形成され得る。一体式に形成されたスタッドおよびスタッドフランジは、強磁性材料の単一の切片から打ち抜き加工または延伸加工によって形成することができる。特定の態様によると、裏板は、第２の材料に取り付けるための少なくとも１つの脚を含むことができる。さらに少なくとも１つの脚は、裏板の一部として一体式される場合もある。特定の態様によると、裏板は、第２の材料に取り付けるためのリベットとして機能する少なくとも１つの延伸された管状の支柱を含むことができる。さらに、延伸された管状の支柱は、裏板の一部として一体式に形成される場合もある。延伸された管状の支柱はクラッシュ嵌め支柱を含むことができる。
【０００９】
[0007]本発明の別の実施形態は、第１の材料と第２の材料を脱着可能に結合するための磁気スナップファスナーの構成要素を提供することができる。ファスナーは、第１の材料に取り付け可能な雄の締結要素を含むことができる。さらに、雄の締結要素は、材料の単一の切片から打ち抜き加工または延伸加工によって形成された一体式に形成されたスタッドと、スタッドフランジとを含むことができる。
【００１０】
[0008]特定の例示の実施形態によると、磁気スナップの構成要素は、第２の材料に取り付け可能な雌の締結要素をさらに含むことができる。雌の締結組立体は、カバーと、裏板と、カバーによって画定される空洞の内部に配置された磁石とを含んでおり、この場合、裏板は、少なくとも１つの一体式に形成された脚を含むことができる。雄の締結要素と雌の締結要素は、第１の材料と第２の材料を脱着可能に結合するために磁気結合を実現することができる。
【００１１】
[0009]特定の例示の実施形態によると、雄の締結要素は、雌の締結要素のカバーに接触し、導電経路が少なくとも雄の締結要素、カバーおよび裏板を通るように形成され得る。一体式に形成されたスタッドおよびスタッドフランジは、強磁性材料の単一の切片から打ち抜き加工または延伸加工によって形成することができる。特定の実施形態によると、雄の締結要素は、使い捨てであり得る。雄の締結要素はまた、プレス嵌め（ｐｒｅｓｓ−ｆｉｔ）またはクラッシュ嵌め（ｃｒｕｓｈ−ｆｉｔ）の構成によって第１の材料に取り付けることもできる。
【００１２】
[0010]本発明のさらに別の例示の実施形態は、第１の材料と第２の材料を脱着可能に結合するための磁気スナップファスナーを提供することができる。ファスナーは、第２の材料に取り付け可能な雌の締結要素を含むことができる。雌の締結組立体は、カバーと、裏板と、カバーによって画定される空洞の内部に配置された磁石とを含むことができる。さらに、裏板は、少なくとも１つの一体式に形成された脚を含む。磁気スナップファスナーは、第１の材料に取り付け可能な雄の締結要素をさらに含むことができる。雄の締結要素は、強磁性材料の単一の切片から打ち抜き加工または延伸加工によって形成された一体式に形成されたスタッドと、スタッドフランジとを含むことができる。さらに、雄の締結要素と雌の締結要素は、第１の材料と第２の材料を脱着可能に結合するために磁気結合を実現することができる。
【００１３】
[0011]特定の実施形態によると、雄の締結要素は、使い捨てであり得る。雄の締結要素はまた、プレス嵌めまたはクラッシュ嵌め構成によって第１の材料に取り付けることができる。
【００１４】
[0012]本発明のさらに別の例示の実施形態は、そこに取り付けられ、一体式に形成されたスタッドと、スタッドフランジとを含むことができる雄の締結要素を有する第１の部分を含む電気装置を提供することができる。電気装置は、そこに取り付けられ、カバーと、裏板と、カバーによって画定される空洞の内部に配置された磁石とを含むことができる雌の締結要素を有する第２の部分をさらに含むことができる。雄の締結要素と雌の締結要素は、雄の締結要素と雌の締結要素が磁気的に互いに結合されたとき、雄の締結要素が雌の締結要素に接触することで第１の部分から第２の部分まで雄の締結要素と雌の締結要素を通る導電経路を形成するように磁気的に互いに結合可能であり得る。
【００１５】
[0013]特定の例示の実施形態によると、電気装置は、センサをさらに含むことができる。センサは、心臓センサまたはフィットネストラッカーの少なくとも一方を含むことができる。
【００１６】
[0014]さらに別の例示の実施形態は、ベース材に取り付け可能な雄の締結要素を含む磁気スナップファスナー構成要素を提供することができる。雄の締結要素は、一体式に形成されたスタッドと、スタッドフランジとを含むことができ、雄の締結要素と雌の締結要素が磁気的に互いに結合されたとき、磁石を有する雌の締結要素と磁気的に結合し、雄の締結要素と雌の締結要素を通る導電経路を形成するように構成され得る。
【００１７】
[0015]本発明の特徴および利点は、添付の図面を参照することで以下の詳細な説明から容易に理解することができる。
【図面の簡単な説明】
【００１８】
【図１Ａ】[0016]図１Ａは、本発明の一実施形態による例示の磁気スナップファスナーの断面図である。
【図１Ｂ】[0017]図１Ｂは、本発明の一実施形態による例示の磁気スナップファスナーの断面図である。
【図２】[0018]図１Ａおよび図１Ｂに示される磁気スナップファスナーの例示の締結要素の分解組立図である。
【図３Ａ】[0019]図３Ａは、本発明の一実施形態による例示の磁気スナップファスナーの断面図である。
【図３Ｂ】[0020]図３Ｂは、本発明の一実施形態による例示の磁気スナップファスナーの断面図である。
【図４】[0021]図３Ａおよび図３Ｂに示される磁気スナップファスナーの例示の締結要素の分解組立図である。
【図５】[0022]本発明の一実施形態による磁気スナップファスナーのさらに別の例示の締結要素の断面図である。
【図６】[0023]本発明の一実施形態による例示の磁気スナップファスナーである。
【図７】[0024]本発明の一実施形態による例示の磁気スナップファスナーの斜視図である。
【図８Ａ】[0025]図８Ａは、本発明の一実施形態による例示の磁気スナップファスナーの雄の構成要素の断面図である。
【図８Ｂ】[0026]図８Ｂは、本発明の一実施形態による例示の磁気スナップファスナーの雄の構成要素の断面図である。
【図８Ｃ】[0027]図８Ｃは、本発明の一実施形態による例示の磁気スナップファスナーの雄の構成要素の断面図である。
【発明を実施するための形態】
【００１９】
[0028]本発明の実施形態は一般に、別個の導電体を使用せずに電気信号の伝導のための電気接続を実現することができる磁気スナップファスナーに関する。本発明の実施形態は、磁気スナップファスナーに関して記載されるが、本明細書に記載されるシステムおよび方法はそれに限定されるものではなく、あらゆるタイプのファスナーまたは結合装置に適用可能であり得る。
【００２０】
[0029]図１Ａおよび図１Ｂは、本発明の一実施形態による、別々の／嵌合していない構成と、嵌合した／結合した構成の例示の磁気スナップファスナー１０００をそれぞれ示す。図１Ａおよび図１Ｂに示されるように、磁気スナップファスナー１０００は、雌部分１１００と、雄部分１２００とを含むことができる。雌部分１１００および雄部分１２００は各々、構成要素および／またはベース材（図示せず）に装着することができ、また互いと脱着可能に嵌合するように構成され得ることで（例えば相補的形状を含む）、それらが装着される構成要素および／またはベース材を脱着可能に結合することができる。
【００２１】
[0030]図１Ａおよび図１Ｂに示されるように、雌部分１１００は、裏板１１０２と、カバー１１０８と、カバー１１０８の内部に配置された磁気リング１１０６と、それらの中を通って延びる中央チャネル１１１０とを含むことができる。一実施形態によると、カバー１１０８は、略円筒形状の空洞を画定することができ、磁気リング１１０６をその中に配置することができる。雄部分１２００は、スタッドフランジ１２０２と、スタッド１２０４とを含むことができる。特定の例示の実施形態によると、雄部分１２００は、スタッドフランジ１２０２とスタッド１２０４が一体式に形成されるように一体型のスタッドである場合もある。例えば、フランジ１２０２およびスタッド１２０４が、シートメタルなど、材料の単一の切片から一体式に形成されるように、雄部分１２００は、それが作製される強磁性材料から打ち抜き加工される（ｓｔａｍｐｅｄ）、成形される（ｆｏｒｍｅｄ）、または延伸加工される（ｄｒａｗｎ）ことができる。このことにより、衣類、衣料品および多くの他の用途のために使用することができる安価で有効な磁気の締め具を提供することができる。特定の例示の実施形態によると、雄部分１２００は、安価に作製することができるため、それは使い捨ての構成要素である。例えば雄部分１２００は、１回またはそれ以上の使用の後に廃棄することができるように設計することができる。雌部分１１００の裏板１１０２は、１つまたは複数の脚１１０４を含むことができ、これらは、雌部分１１００を、結合すべき構成要素および／または材料（例えばプリント回路基板など）に結合するのを促進することができる。特定の例示の実施形態によると、脚１１０４は、裏板１１０２の一部として一体式に形成される場合もあり（例えば脚１１０４を形成するために裏板１１０２の一部を折り曲げることによって形成される）、裏板１１０２が、強磁性および／または導電性材料を含む場合もある。任意選択でカバー１１０８は、連続する縁１１０８ａを含むことができ、これは、裏板１１０２を固定するために追加の機械的な装着機構を必要とせずに裏板１１０２を固定することができる。さらにカバー１１０８、磁石１１０６および裏板１１０２は、磁気スナップファスナー１０００の内部に流体が侵入することができないようにそれらの間にシールを形成するように構成することができる。任意選択で、磁気スナップファスナー１０００は、追加のワッシャまたは他の密閉要素を含むことで、磁気スナップファスナー１０００の内部に流体が侵入するのを阻止することができる。好ましくは、雄部分１２００は金属強磁性材料を含むことで、それは、雌部分１１００の磁気リング１１０６に磁気的に引き寄せされることになる。例えば雄部分１２００および雌部分１１００の形状が、雌部分１１００の磁気リング１１０６の磁束を雌部分１１００の磁気リング１１０６の中央を通るように通すことで、磁石の磁束は、雄部分１２００と雌部分１１００を磁力により互いに引き寄せるのに有効に使用されることになる。
【００２２】
[0031]追加として、雄部分１２００および雌部分１１００は、雄部分１２００および雌部分１１００のそのそれぞれの構成要素および／またはベース材への結合を促進するために結合要素を含むことができる。特定の例示の実施形態によると、雄部分１２００および雌部分１１００は、雄部分１２００および雌部分１１００のそのそれぞれの構成要素および／またはベース材（例えばＰＣＢ、コネクタなど）への結合を促進するために、またそのそれぞれの構成要素および／またはベース材（例えばＰＣＢ、コネクタなど）間の電気接続を実現するために、例えばコネクタ、ハンダパッドなどを含む場合もある。例えば雄部分１２００は、スタッド１２０４のボールの内部に配置された支柱（例えば金属、プラスチック、プラスチックがコーティングされた導電材料など）を介してその構成要素および／またはベース材に結合することができるため、雄部分１２００を、その構成要素および／またはベース材にクラッシュ嵌めする、またはプレス嵌めすることができる。
【００２３】
[0032]図８Ａ〜図８Ｃに示されるように、雄部分１２００は、支柱１２０を介して構成要素／ベース材１０２に結合することができる。図８Ａ、図８Ｂおよび図８Ｃは、例えばプラスチック、織物または他の材料などの構成要素／ベース材への雄部分１２００の例示の装着を示している。図８Ａは、例えばプレス嵌めまたはクラッシュ嵌め式の装着を介する支柱１２０へのスタッド１２０４の結合を示している。
【００２４】
[0033]図８Ｂは、クラッシュ装着された支柱１２０に結合された（例えばクラッシュ嵌めされた）スタッド１２０４を示す。例えば支柱１２０は、スタッド１２０４の空洞内で圧縮されたとき、先端部分１２０ａがつぶされる／変形され得るように設計され、そのように構成されることができる。さらに、雄部分１２００が材料１０２に結合されるとき、スタッド１２０４の中空の空洞内で「つぶれる」ように構成された部分は、導電材を含むことができ、スタッド１２０４のボールの内面と接触することで導電性を提供することができる。例示の実施形態によると、支柱１２０は、シートメタルから作製することができる、または堅固な材料から機械加工される場合もある。支柱１２０は、開放した、または閉鎖した先端を備える中空の管を含むことができる、あるいは支柱１２０は、半管状の中実の支柱を含む場合もある。図示されるように、スタッド１２０４および支柱１２０は、支柱の先端１２０ａが変形され／つぶされ、スタッド１２０４の空洞の内部で拡張して２つの構成要素を一緒に固定するまで一緒に打ち込むことができる。
【００２５】
[0034]図８Ｃは、打ち込み嵌めまたはプレス嵌め構成を介して支柱１２０に結合されたスタッド１２０４を示す。この構成において、スタッド１２０４の内面と支柱１２０との間に生じる摩擦力が２つの構成要素を併せて保持するように、支柱１２０の直径は好ましくは、スタッド１２０４の裏にある開口の直径より大きい。図８Ｂに示されるクラッシュ嵌め構成と同様に、支柱１２０とスタッド１２０４の内面との接触は、この構成においても導電性を提供することができる。
【００２６】
[0035]さらに、雌部分１１００の脚１１０４は、その構成要素および／またはベース材に雌部分１１００の導電性を提供することができる。したがって雄部分１２００が雌部分１１００に嵌合される際、追加の別個の導体を必要とせずに、雄部分１２００（例えばスタッド１２０４またはスタッドフランジ１２０２を介して）から雌部分１１００への（例えばカバー１１０８または裏板１１０２を介して）電気接続を実現することができる。
【００２７】
[0036]作用中、雌部分１１００および雄部分１２００は、磁気リング１１０６および雄部分１２００の強磁性材料を考慮して磁力により互いに引き寄せられる。例えば雄部分１２００および雌部分１１００の形状が、雌部分１１００の磁気リング１１０６の磁束を雌部分１１００の磁気リング１１０６の中央を通るように通すことで、磁石の磁束は、雄部分１２００と雌部分１１００を磁力により互いに引き寄せるのに有効に使用されることになる。あるいは雄部分１２００が磁石を含む場合もあり、雌部分１１００が強磁性材料を含む場合もある。磁気引力は、雄部分１２００と雌部分１１００を脱着可能に嵌合させることができ、雄部分１２００と雌部分１１００との間の接触は、別個の導体を必要とせずに電気接続を実現することができる。例えばスタッド１２０４は中央チャネル１１１０内に受け入れられてよく、磁気引力が、雄部分１２００と雌部分１１００を脱着可能に結合する。図１Ｂは、嵌合し結合した構成にある磁気スナップファスナー１０００を示す。本発明の例示の実施形態によると、別個の導体なしでスタッドフランジ１２０２とカバー１１０８との間に形成される接触を通して電気接続を形成することができる。あるいは、図１Ｂに示されるように、雄部分１２００が雌部分１１００に結合されたとき、スタッド１２０４が裏板１１０２に接触して電気接続を形成するように、スタッド１２０４および裏板１１０２が構成される場合もある。したがって雄部分１２００と雌部分１１００との間の電気接続は、スタッド１２０４と裏板１１０２との間に接触によって実現され得る。
【００２８】
[0037]図２は、雌部分１１００の分解組み立て斜視図を示す。図２に示されるように、雌部分１１００は、カバー１１０８と、磁気リング１１０６と、裏板１１０２と、それらの中を通って延びる中央チャネル１１１０とを含むことができる。磁気リング１１０６は、カバー１１０８内に収容することができ、裏板１１０２がカバー１１０８に結合されることで、磁気リング１１０６をカバー１１０８の中に維持することができる。また図２には、脚１１０４も示されており、これは、裏板１１０２の一部として一体式に形成することができる。
【００２９】
[0038]図３Ａおよび図３Ｂは、本発明の別の実施形態による、別々の／嵌合していない構成と、嵌合した／結合した構成のそれぞれの例示の磁気スナップファスナー１０００’を示す。図３Ａおよび図３Ｂに示されるように、磁気スナップファスナー１０００’は磁気スナップファスナー１０００とほぼ同様であるが、図３Ａおよび図３Ｂに示されるように、雌部分１１００’の裏板１１０２’が閉鎖されることで、閉鎖された端部の中央チャネル１１１０’はそれらを貫通するように延びてはいない。磁気スナップファスナー１０００と同様に、磁気スナップファスナー１０００’は、雌部分１１００’と、雄部分１２００’とを含むことができる。雌部分１１００’および雄部分１２００’は、構成要素および／またはベース材（図示せず）に各々装着されてよく、それらが装着される構成要素および／またはベース材を脱着可能に結合するために、互いと脱着可能に嵌合するように構成され得る（例えば相補的な形状を含む）。
【００３０】
[0039]図３Ａおよび図３Ｂに示されるように、雌部分１１００’は、裏板１１０２’と、カバー１１０８’と、カバー１１０８’内に配置された磁気リング１１０６’と、それらの中を通って延びる閉鎖端部の中央チャネル１１１０’とを含むことができる。一実施形態によると、カバー１１０８’は、略円筒形のリング形状の空洞を画定することができ、磁気リング１１０６’をその中に配置することができる。雄部分１２００’は、スタッドフランジ１２０２’と、スタッド１２０４’とを含むことができる。特定の例示の実施形態によると、スタッドフランジ１２０２’とスタッド１２０４’が一体式に形成されるように、雄部分１２００’は一体型のスタッドである場合もある。例えば雄部分１２００’は、スタッドフランジ１２０２およびスタッド１２０４が材料の単一の切片から一体式に形成されるように、シートメタルなど、それが作製される強磁性材料から打ち抜き加工する、成形する、または延伸加工することができる。このことは、衣類、衣料品、ハンドバッグおよび多くの他の用途のために使用することができる安価で有効な磁気の締め具を提供することができる。特定の例示の実施形態によると、雄部分１２００’は、安価に作製することができるため、それは使い捨ての構成要素である。例えば雄部分１２００’は、１回またはそれ以上の使用の後に廃棄することができるように設計することができる。雌部分１１００’の裏板１１０２’は、１つまたは複数の脚１１０４’を含むことができ、これらは、雌部分１１００’を、結合すべき構成要素および／または材料（例えばプリント回路基板など）に結合するのを促進することができる。特定の例示の実施形態によると、脚１１０４’は、裏板１１０２’の一部として一体式に形成することができ（例えば脚１１０４’を形成するために裏板１１０２’の一部を折り曲げることによって形成される）、裏板１１０２’は、強磁性材料および／または導電性材料を含むことができる。さらにカバー１１０８’、磁石１１０６’および裏板１１０２’は、磁気スナップファスナー１０００’の内部に流体が侵入することができないようにそれらの間にシールを形成するように構成することができる。任意選択で磁気スナップファスナー１０００’は、追加のワッシャまたは他の密閉要素を含むことで、磁気スナップファスナー１０００’の内部に流体が侵入するのを阻止することができる。好ましくは、雄部分１２００’は、金属強磁性材料を含むことで、それは、雌部分１１００’の磁気リング１１０６’に磁力により引き寄せられる。例えば雄部分１２００’および雌部分１１００’の形状が、雌部分１１００’の磁気リング１１０６’の磁束を雌部分１１００’の磁気リング１１０６’の中央を通るように通すことで、磁石の磁束は、雄部分１２００’と雌部分１１００’を磁力により互いに引き寄せるのに有効に使用される。
【００３１】
[0040]追加として、雄部分１２００’および雌部分１１００’は、雄部分１２００’および雌部分１１００’のそのそれぞれの構成要素および／またはベース材への結合を促進するために結合要素を含むことができる。特定の例示の実施形態によると、雄部分１２００’および雌部分１１００’は、雄部分１２００’および雌部分１１００’のそのそれぞれの構成要素および／またはベース材（例えばＰＣＢ、コネクタなど）への結合を促進するために、またそのそれぞれの構成要素および／またはベース材（例えばＰＣＢ、コネクタなど）間の電気接続を実現するために、例えばコネクタ、ハンダパッドなどを含む場合もある。例えば雄部分１２００’は、スタッド１２０４’のボールの内部に配置された支柱（例えば金属、プラスチック、プラスチックがコーティングされた導電材料など）を介してその構成要素および／またはベース材に結合することができるため、雄部分１２００’を、その構成要素および／またはベース材にクラッシュ嵌めする、またはプレス嵌めすることができる。雄部分１２００’は、雄部分１２００に関して本明細書に記載され、かつ図８Ａ〜図８Ｃに示されるものと同様の結合構成を利用することができる。さらに、雌部分１１００’の脚１１０４’は、その構成要素および／またはベース材に雌部分１１００’の導電性を提供することができる。したがって雄部分１２００’が雌部分１１００’に嵌合される際、追加の別個の導体を必要とせずに雄部分１２００’から（例えばスタッド１２０４’またはスタッドフランジ１２０２’を介して）雌部分１１００’への（例えばカバー１１０８’または裏板１１０２’を介して）電気接続を実現することができる。
【００３２】
[0041]作用中、雌部分１１００’および雄部分１２００’は、磁気リング１１０６’および雄部分１２００’の強磁性材料を考慮して磁力により互いに引き寄せられる。例えば雄部分１２００’および雌部分１１００’の形状が、雌部分１１００’の磁気リング１１０６’の磁束を雌部分１１００’の磁気リング１１０６’の中央を通るように通すことで、磁石の磁束は、雄部分１２００’と雌部分１１００’を磁力により互いに引き寄せるのに有効に使用される。あるいは雄部分１２００’が、磁石を含む場合もあり、雌部分１１００’が強磁性材料を含む場合もある、または雄部分１２００’と雌部分１１００’の両方が磁石を含む場合もある。磁気引力が、雄部分１２００’と雌部分１１００’を脱着可能に嵌合させることができ、雄部分１２００’と雌部分１１００’との間の接触は、別個の導体を必要とせずに電気接続を実現することができる。例えばスタッド１２０４’は閉鎖端部の中央チャネル１１１０’内に受け入れられてよく、磁気引力が、雄部分１２００’と雌部分１１００’を脱着可能に結合する。図３Ｂは、嵌合し結合した構成にある磁気スナップファスナー１１００’を示す。本発明の例示の実施形態によると、別個の導体なしでスタッドフランジ１２０２’とカバー１１０８’との間に形成される接触を通して電気接続を形成することができる。あるいは、図３Ｂに示されるように、雄部分１２００’が雌部分１１００’に結合されたとき、スタッド１２０４’が裏板１１０２’に接触して電気接続を形成するように、スタッド１２０４’および裏板１１０２’が構成される場合もある。したがって雄部分１２００’と雌部分１１００’との間の電気接続は、スタッド１２０４’と裏板１１０２’との間に接触によって実現され得る。
【００３３】
[0042]図４は、雌部分１１００’の分解組み立て斜視図を示す。図４に示されるように雌部分１１００’は、カバー１１０８’と、磁気リング１１０６’と、裏板１１０２’と、カバー１１０８’と磁気リング１１０６’の中を通って延びる閉鎖端部の中央チャネル１１１０’とを含むことができる。磁気リング１１０６’は、カバー１１０８’内に収容することができ、裏板１１０２’がカバー１１０８’に結合されることで、磁気リング１１０６’をカバー１１０８’の中に維持することができる。また図４には、脚１１０４’も示されており、これは、裏板１１０２’の一部として一体式に形成することができる。
【００３４】
[0043]図５は、本発明のさらに別の実施形態による別の例示の雌部分１１００”を示す。図５に示されるように、雌部分１１００”は、図１Ａおよび図１Ｂに示される雌部分１１００および雌部分１１００’とほぼ同様であるが、図５に示されるように、本明細書に記載される雄部分のいずれか（例えば雄部分１２００および１２００’）などの雄部分との嵌合を促進するために、雌部分１１００”のチャネル１１１０”は、チャネル１１１０”の開放端部に配置された傾斜した部分１１１０ａを含む。
【００３５】
[0044]図６は、雄部分と雌部分の各々がそのそれぞれの構成要素および／またはベース材に装着された状態での別々の／嵌合されていない構成における例示の磁気スナップファスナー１０００を示す。図６に示されるように、雌部分１１００は、構成要素／ベース材１００に装着することができ、雄部分１２００は、構成要素／ベース材１０２に装着することができる。特定の例示的な実装形態によると、図６に示されるように、スタッド１２０４は、雄部分１２００と雌部分１１００の結合および嵌合を促進するためにフレア状の突起１２０４ａなどの機構を含むことができる。雄部分１２００と雌部分１１００が脱着可能に互いに嵌合される際、構成要素／ベース材１００および１０２は好ましくは脱着可能に互いに結合される。
【００３６】
[0045]図７は、雄部分１２００と雌部分１１００の脱着可能な嵌合を促進することができる、スタッド１２０４のフレア状の突起１２０４ａを示す別々の／嵌合されない構成における例示の磁気スナップファスナー１０００の別の斜視図を示す。図７に示されるように、雄部分１２００は、好ましくは、フランジ１２０２、および突起１２０４ａを含めたスタッド１２０４が材料の単一の切片から一体式に形成されるように成形される（それが作製される強磁性材料から、例えば、打ち抜き加工される、成形される、または延伸加工される）。
【００３７】
[0046]本発明の例示の実施形態は、広範な種類の製品および装置に利用することができる。例えば、本発明の実施形態による例示の磁気スナップファスナーは、様々な衣類（例えばコート、ジャケット、パンツ、シャツ、セーターなど）、アクセサリ（例えばバッグ、宝石、帽子、傘など）または何らかのタイプの締め具および／またはファスナーを必要とする任意の他の製品において使用することができる。本発明の実施形態による例示の磁気スナップファスナーは、導電性のファスナーまたは締め具を必要とする装置または製品でも使用することができる。例えば例示の磁気スナップファスナーは、心臓モニタ、心電図装置（ＥＫＧ）、時計、フィットネストラッカー、ナビゲーション装置、メディアプレイヤ、センサを利用する装置、ヘッドフォン、アイウェア（例えばゴーグル、眼鏡、バーチャルリアリティゴーグルなど）、グローブ、センサを有する衣類および／またはスマートファブリックなどのウェラブル装置および医療デバイスで使用することができる。このような用途では、例示の磁気スナップファスナーの雄部分と雌部分の結合は、例えば、ファスナーが閉じられた／結合されたとき、装置または製品の２つの部分の間の電気的接続性を可能にする導電接続を実現することができる。
【００３８】
[0047]上記に示される実施形態および実施例は例示であり、本開示の精神から逸脱することなく多くの変形形態をそれらに導入することができる。例えば、本明細書の異なる説明的かつ例示的な実施形態の要素および／または機構は、本開示の範囲内で互いに組み合わされてもよい、および／または互いと置き換えられてもよい。本開示をよりよく理解するために、本発明の例証の例示の実施形態が存在する任意の添付の図面および説明的事項を参照されたい。
【図１Ａ】
2021512656.tif 000002
【図１Ｂ】
2021512656.tif 000003
【図２】
2021512656.tif 000004
【図３Ａ】
2021512656.tif 000005
【図３Ｂ】
2021512656.tif 000006
【図４】
2021512656.tif 000007
【図５】
2021512656.tif 000008
【図６】
2021512656.tif 000009
【図７】
2021512656.tif 000010
【図８Ａ】
2021512656.tif 000011
【図８Ｂ】
2021512656.tif 000012
【図８Ｃ】
2021512656.tif 000013
【手続補正書】
【提出日】令和2年7月31日(2020.7.31)
【手続補正１】
【補正対象書類名】特許請求の範囲
【補正対象項目名】全文
【補正方法】変更
【補正の内容】
【特許請求の範囲】
【請求項１】
第１の材料と第２の材料を脱着可能に結合するための導電性の磁気スナップファスナーであって、
（ａ）前記第１の材料に取り付け可能な雄の締結要素であって、
（ｉ）中空の空洞を有し、導電性の強磁性シートメタルの単一の切片から打ち抜き加工または延伸加工される一体式に形成されたスタッドおよびスタッドフランジと、
（ｉｉ）前記雄の締結要素を前記第１の材料に取り付けるための導電性の支柱であって、前記スタッドの内面と導電接触した状態で前記中空の空洞にプレス嵌めまたはクラッシュ嵌めされる支柱部分と、前記雄の締結要素が前記第１の材料に取り付けられる際、前記第１の材料が前記スタッドフランジと前記支柱のフランジ部分との間に、かつ前記スタッドフランジおよび前記支柱のフランジ部分と接触して置かれるように、前記スタッドフランジから離間されるフランジ部分とを含む導電性の支柱と、を備える、雄の締結要素と、
（ｂ）前記第２の材料に取り付け可能な雌の締結要素であって、カバーと、裏板と、前記カバーによって画定される空洞の内部に配置された磁石とを含み、前記スタッドを挿入することができるチャネルを画定し、前記スタッドが前記チャネルに挿入される際、少なくとも前記雄の締結要素と導電接触するために配置された部分において導電性である、雌の締結要素と、を備え、
前記雄の締結要素と前記雌の締結要素は、前記スタッドが前記チャネルに挿入される際、磁気的に互いに結合可能であるため、前記雄の締結要素と前記雌の締結要素が磁気的に互いに結合されたとき、前記雄の締結要素が前記雌の締結要素に接触することで前記雄の締結要素と前記雌の締結要素を通る導電経路を形成する、導電性の磁気スナップファスナー。
【請求項２】
前記雄の締結要素は、前記雌の締結要素の前記カバーに接触し、前記導電経路は、少なくとも前記雄の締結要素、前記カバーおよび前記裏板を通るように形成される、請求項１に記載の導電性の磁気スナップファスナー。
【請求項３】
前記裏板は、前記第２の材料に取り付けるための少なくとも１つの脚を含む、請求項１に記載の導電性の磁気スナップファスナー。
【請求項４】
前記少なくとも１つの脚は、前記裏板の一部として一体式に形成される、請求項３に記載の導電性の磁気スナップファスナー。
【請求項５】
前記雄の締結要素は使い捨てである、請求項１に記載の導電性の磁気スナップファスナー。
【請求項６】
前記支柱は、プラスチックで作製され、導電材料でコーティングされる、請求項１に記載の導電性の磁気スナップファスナー。
【請求項７】
心臓モニタおよび心電図装置から成る群から選択された電気装置であって、
請求項５に記載の導電性の磁気スナップファスナーと、
前記第１の材料に取り付けられた前記雄の締結要素を有する、前記第１の材料としての前記電気装置の第１の部分と、
前記雌の締結要素に電気的に接続され、且つ、前記第２の材料に取り付けられた前記雌の締結要素を有する、前記第２の材料としての前記電気装置の第２の部分と、を備える、電気装置。
【請求項８】
第１の材料と第２の材料を脱着可能に結合するための磁気スナップファスナーの構成要素であって、
前記第１の材料に取り付け可能であり、使い捨てである雄の締結要素であって、かつ
（ａ）中空の空洞を有し、導電性の強磁性シートメタルの単一の切片から打ち抜き加工または延伸加工される一体式に形成されたスタッドおよびスタッドフランジと、
（ｂ）前記雄の締結要素を前記第１の材料に取り付けるための導電性の支柱であって、前記スタッドの内面と導電接触した状態で前記中空の空洞にプレス嵌めまたはクラッシュ嵌めされる支柱部分と、前記雄の締結要素が前記第１の材料に取り付けられる際、前記第１の材料が前記スタッドフランジと前記支柱のフランジ部分との間に、かつ前記スタッドフランジおよび前記支柱のフランジ部分と接触して置かれるように、前記スタッドフランジから離間されるフランジ部分とを含む導電性の支柱と、を備える、雄の締結要素を備え、
前記構成要素は、前記第２の材料に取り付け可能な雌の締結要素と磁気的に結合するように構成されており、
前記雌の締結要素は、磁石を含み、前記スタッドを挿入することができるチャネルを画定し、
前記雌の締結要素は、前記スタッドが前記チャネルに挿入される際、少なくとも前記雄の締結要素と導電接触するために配置された部分において導電性であり、
前記雄の締結要素と前記雌の締結要素は、前記スタッドが前記チャネルに挿入される際、磁気的に互いに結合可能であるため、前記雄の締結要素と前記雌の締結要素が磁気的に互いに結合されたとき、前記雄の締結要素が前記雌の締結要素に接触することで前記雄の締結要素と前記雌の締結要素を通る導電経路を形成する、磁気スナップファスナーの構成要素。
【請求項９】
前記雄の締結要素は、カバーおよび裏板を有する雌の締結要素と磁気的に結合するように構成され、
前記磁石は、前記カバーによって画定される空洞の内部に配置される、請求項８に記載の磁気スナップファスナーの構成要素。
【請求項１０】
前記雄の締結要素は、前記雌の締結要素の前記カバーと接触するように構成され、前記導電経路は、少なくとも前記雄の締結要素、前記カバーおよび前記裏板を通るように形成される、請求項９に記載の磁気スナップファスナーの構成要素。
【請求項１１】
前記支柱は、プラスチックで作製され、導電材料でコーティングされる、請求項８に記載の磁気スナップファスナーの構成要素。
【請求項１２】
第１の材料と第２の材料を脱着可能に結合するための導電性の磁気スナップファスナーであって、
（ａ）前記第１の材料に取り付け可能であり、使い捨てである雄の締結要素であって、
（ｉ）中空の空洞を有し、導電性の強磁性シートメタルの単一の切片から打ち抜き加工または延伸加工される一体式に形成されたスタッドおよびスタッドフランジと、
（ｉｉ）前記雄の締結要素を前記第１の材料に取り付けるための導電性の支柱であって、前記スタッドの内面と導電接触した状態で前記中空の空洞にプレス嵌めまたはクラッシュ嵌めされる支柱部分と、前記雄の締結要素が前記第１の材料に取り付けられる際、前記第１の材料が前記スタッドフランジと前記支柱のフランジ部分との間に、かつ前記スタッドフランジおよび前記支柱のフランジ部分と接触して置かれるように、前記スタッドフランジから離間されるフランジ部分とを含む導電性の支柱と、を備える、雄の締結要素と、
（ｂ）前記第２の材料に取り付け可能な雌の締結要素であって、磁石を含み、前記スタッドを挿入することができるチャネルを画定し、前記スタッドが前記チャネルに挿入される際、少なくとも前記雄の締結要素と導電接触するために配置された部分において導電性である雌の締結要素と、を備え、
前記雄の締結要素と前記雌の締結要素は、前記スタッドが前記チャネルに挿入される際、磁気的に互いに結合可能であるため、前記雄の締結要素と前記雌の締結要素が磁気的に互いに結合されたとき、前記雄の締結要素が前記雌の締結要素に接触することで前記雄の締結要素と前記雌の締結要素を通る導電経路を形成する、導電性の磁気スナップファスナー。
【国際調査報告】
2021512656.tif 000014